(57)【要約】【課題】自立性の無いレンズシートに対する横方向（水平方向）の張力付与を一層確実にして、表示画面に装着するために使用されている筐体（フレーム），固定ジグの大幅な変更を要さず、比較的簡便な構造で、温度，湿度などの環境変化に対して、しわ，たるみが生じにくく安定して取り付けられるスクリーンの固定方法を提案する。【解決手段】フレネルレンズシートの下端よりも下方に位置するレンチキュラーシートの下辺では、少なくともレンチキュラーシートの片面に短冊状の補強部材が上辺全体に沿って貼着しており、フレームの下辺では、フレーム上辺から吊り下げられたレンチキュラーシートの下辺は自由端となっており、前記補強部材の重さにより、レンチキュラーシートには下方に張力が付与された構造。【選択図】図２
2007286091.tif 000002
【特許請求の範囲】
【請求項１】
フレネルレンズシートとレンチキュラーシートとを重ね合わせて、その周囲をフレームに支持・固定して透過型プロジェクション・ディスプレイの表示画面に装着される透過型スクリーンにおいて、
レンチキュラーシートは、透光性基材フィルム表面に放射線硬化型樹脂の硬化物によりシリンドリカルレンズ群からなるレンズ部が形成されており、全体として可撓性を有しており、フレネルレンズシートよりも上下方向に大サイズの構成であり、
フレネルレンズシートは、透光性基材フィルム表面に放射線硬化型樹脂の硬化物によりレンズ部が形成されており、反レンズ部側の前記フィルム表面には、光拡散機能を有するシートが積層一体化され、全体として可撓性を有さず、レンチキュラーシートに比較して剛性および厚さの大きい構成であり、
フレネルレンズシートの下端よりも下方に位置するレンチキュラーシートの下辺では、少なくともレンチキュラーシートの片面に短冊状の補強部材が上辺全体に沿って貼着しており、
フレームの下辺では、フレーム上辺から吊り下げられたレンチキュラーシートの下辺は自由端となっており、前記補強部材の重さにより、レンチキュラーシートには下方に張力が付与された構造となっていることを特徴とする透過型プロジェクションスクリーン。
【請求項２】
フレネルレンズシートの上端よりも上方に位置するレンチキュラーシートの上辺では、少なくともレンチキュラーシートの片面に短冊状の補強部材が上辺全体に沿って貼着しており、
フレームの上辺では、フレネルレンズシートの上端よりも上方で突出した庇状部を有する保持部材により、前記補強部材を掛けてレンチキュラーシートを吊り下げた状態で、フレネルレンズシートとレンチキュラーシートとを、保持部材を介して押さえた構成であることを特徴とする請求項１記載の透過型プロジェクションスクリーン。
【請求項３】
短冊状の補強部材として、レンチキュラーシートよりも比重および剛性の高い金属板を用いることを特徴とする請求項１または２に記載の透過型プロジェクションスクリーン。
【請求項４】
レンチキュラーシートと短冊状の補強部材とは、両面粘着テープにより貼着されている構成であり、
両面粘着テープは、基材フィルムの表裏に基材フィルムよりも厚さの大きい粘着剤層が形成された構成であり、
ＪＩＳ Ｚ ０２３７に準拠した粘着力（１８０°引き剥がし粘着力）が、２０Ｎ／２０ｍｍ以下であることを特徴とする請求項１〜３の何れかに記載の透過型プロジェクションスクリーン。
【請求項５】
フレーム上辺で、レンチキュラーシートに短冊状の補強部材が上辺全体に沿って貼着している箇所では、レンチキュラーシートの変形（伸縮，湾曲）に応じた変位が可能であるように、フレームとレンチキュラーシートとの間に空隙を有する構成であることを特徴とする請求項１〜４の何れかに記載の透過型プロジェクションスクリーン。
【発明の詳細な説明】
【技術分野】
【０００１】
本発明は、透過型プロジェクションＴＶ（透過型ＴＶ，リア・プロジェクションＴＶ，背面投射型ＴＶなど、各種の呼び方があるが、全て同義語である）に代表されるディスプレイに用いられるスクリーンの改良に関する。
特に、フレネルレンズシートとレンチキュラーシートを重ね合わせてなる構成のスクリーンのうち、一方のシートが自立性の無い（可撓性を有する）フレキシブルな基材で構成されている場合、表示画面に装着するために使用されている筐体（フレーム），固定ジグの大幅な変更を要さず、比較的簡便な構造で安定して取り付けられるスクリーンの固定方法に関する。
【背景技術】
【０００２】
レンチキュラーシートとフレネルレンズシートを用いた透過型プロジェクションスクリーンについては、光学特性を向上させるため、薄型化が進んでいる。
レンチキュラーシートについては、映像源の高精細化に伴いファインピッチ化を図る必要があり、ファインピッチ化に伴い、光学特性上、必然的に薄板化となるためであり、
フレネルレンズシートについては、板厚が厚いと迷光による二重像が発生するため、薄板化が必要であることによる。
この薄板化が進むと、レンチキュラーレンズシートとフレネルレンズシートの２枚構成だけでは、スクリーン外側から外力が加わった際、剛性不足により、簡単にスクリーンが枠からはずれたりてしまったり、スクリーンが破損してしまうといった問題を招いている。
昨今、自立性の無い（可撓性を有する）フレキシブルな基材からなるフレネルレンズシートやレンチキュラーシートを用いたスクリーンの開発が行われており、少なくとも一方のレンズシートが可撓性を有する場合、ＴＶにアセンブリするにあたって、上記に加えて、以下に挙げる弊害を解消した取り付け方法（固定方法）が求められる。
【０００３】
一方のレンズシートが自立性のない基材で、他方のレンズシートが自立性のある基材で構成されたプロジェクションスクリーンでは、二辺または四辺が接着剤あるいは粘着剤で固定されていると、温度変化や湿度変化による膨張や収縮で、自立性のない方のレンズシートにしわや浮きが生じてしまい、透過型プロジェクションＴＶに組み込んだ状態では、経時的なフォーカスのボケや色ずれが生じることになり、画像劣化を招くという問題を有している。
【０００４】
上記のレンズシート組み合わせ（一方の自立性がなく、他方の自立性がある場合）からなるスクリーンを想定した取り付け方法（固定方法）に関する出願としては、以下の案件が公知であり、それぞれの概要を記す。
【特許文献１】特開平１０−２４６９１８号公報
【特許文献２】特開平１１−２７１８８３号公報
【特許文献３】特開２００４−９４１４７号公報
【特許文献４】特開２００４−１１８１６６号公報
【０００５】
＜特許文献１＞
フレネルレンズシートとレンチキュラーレンズシートとを組み合わせてなる透過型スクリーンにおいて、
レンチキュラーレンズシートが、剛性の不十分な透明基材フィルム上に、光硬化型樹脂又は放射線硬化型樹脂の硬化物からなるレンズ部が形成されており、
前記レンチキュラーレンズシートの側縁部とスクリーンの保持枠とを熱収縮性を有する合成樹脂フィルムを介して接合、固定した構成であることを特徴とする画像投影用スクリーン。（請求項１）
【０００６】
＜特許文献２＞
温度、湿度の変化で伸縮する複数のスクリーンから構成され、映像発生源より発せられた映像光が投写される透過形スクリーンにおいて、
第１のスクリーンと、前記第１のスクリーンより相対的に低剛性の第２のスクリーンとを備え、前記第１のスクリーンに高温又は／且つ高湿中にて伸長した状態の第２のスクリーンを固定したことを特徴とする透過形スクリーン。（請求項１）
【０００７】
＜特許文献３＞
フレネルレンズとレンチキュラーレンズとを重ねて構成されるスクリーンを、透過型リアクションスクリーンテレビの筐体枠に固定する方法であって、
重ね合わされたフレネルレンズとレンチキュラーレンズの周辺に、片面粘着テープをコの字型に貼ることで、フレネルレンズとレンチキュラーレンズとをスクリーンとして一体化して固定し、
スクリーンを筐体枠に加圧せずに固定することを特徴とするスクリーンの固定方法。（請求項１）
【０００８】
＜特許文献４＞
フレネルレンズシートとレンチキュラーレンズシートを重ね合わせ、周囲を筐体枠と保持具で支持、固定した透過型リアプロジェクションスクリーンにおいて、
前記フレネルレンズシート、またはレンチキュラーレンズシートのいずれか一方が自立性を有する基材からなるレンズシート（２）と、他方が自立性のない基材からなるレンズシート（１）とで構成されており、前記自立性のない基材からなるレンズシート（２）と前記自立性を有する基材からなるレンズシート（１）とは下部端縁が弾性接着層（３１）で固定され、前記自立性のない基材からなるレンズシート（１）の上部端縁と保持テープ（３０）の一方の端部とが接着層（４１）にて固定され、前記保持テープ（３０）の他方の端部が筐体枠（１１ａ）に接着層（４２）を介して保持具（１２ａ）及びネジ（１３）にて連結・固定されて、
前記自立性のない基材からなるレンズシート（２）の一端が保持テープ（３）で吊り下げられた状態で筐体枠（１１ａ）と保持具（１２ａ）との間及び筐体枠（１１ｂ）と保持具（１２ｂ）との間とで保持されていることを特徴とする透過型リアプロジェクションスクリーン。（請求項１）
【発明の開示】
【発明が解決しようとする課題】
【０００９】
上記の特許文献２に開示される手法では、予め自立性の無いレンズシートを高温又は／且つ高湿中にて伸長した状態としてから、自立性を有するレンズシートに接合することにより、これ以上には伸びない自立性の無いレンズシートは、ＴＶセットに装着後は、常に収縮しようとする方向に張力がかかるため、しわ，たるみが無くレンズシートが張った状態が維持されるが、高温又は／且つ高湿中にて伸長する工程を要する。
【００１０】
上記の特許文献１，３，４に開示される手法では、自立性を有するレンズシートと自立性の無いレンズシートとを、熱収縮性を有する合成樹脂フィルム（特許文献１），片面粘着テープ（特許文献３），保持テープ（特許文献４）などの可撓性を有するフィルム状部材を介して接合しており、重力の働かない横方向（水平方向）でのレンズシートに対する張力付与が不十分である。
すなわち、レンズシートに横方向（水平方向）のしわやたるみが生じるような外力が働いた場合、接合するフィルム状部材も含めてレンズシートにしわやたるみが生じる可能性がある。
【００１１】
本発明では、自立性の無いレンズシートに対する横方向（水平方向）の張力付与を一層確実にして、表示画面に装着するために使用されている筐体（フレーム），固定ジグの大幅な変更を要さず、比較的簡便な構造で、温度，湿度などの環境変化に対して、しわ，たるみが生じにくく安定して取り付けられるスクリーンの固定方法を提案することを目的とする。
【課題を解決するための手段】
【００１２】
上記目的を達成するために、本発明による透過型プロジェクションスクリーンでは、
に支持・固定して透過型プロジェクション・ディスプレイの表示画面に装着される透過型スクリーンにおいて、
レンチキュラーシートは、透光性基材フィルム表面に放射線硬化型樹脂の硬化物によりシリンドリカルレンズ群からなるレンズ部が形成されており、全体として可撓性を有しており、フレネルレンズシートよりも上下方向に大サイズの構成であり、
フレネルレンズシートは、透光性基材フィルム表面に放射線硬化型樹脂の硬化物によりレンズ部が形成されており、反レンズ部側の前記フィルム表面には、光拡散機能を有するシートが積層一体化され、全体として可撓性を有さず、レンチキュラーシートに比較して剛性および厚さの大きい構成であり、
フレネルレンズシートの下端よりも下方に位置するレンチキュラーシートの下辺では、少なくともレンチキュラーシートの片面に短冊状の補強部材が上辺全体に沿って貼着しており、
フレームの下辺では、フレーム上辺から吊り下げられたレンチキュラーシートの下辺は自由端となっており、前記補強部材の重さにより、レンチキュラーシートには下方に張力が付与された構造となっていることを特徴とする。
【発明の効果】
【００１３】
本発明による透過型プロジェクションスクリーンでは、
自立性の無い（可撓性を有する）レンチキュラーシートの下辺では、少なくともレンチキュラーシートの片面に短冊状の補強部材が貼着しており、フレネルレンズシートの重さに依存することなく、レンチキュラーシートには下方に張力が付与されるため、縦方向（垂直方向）でのしわ，たるみの発生が妨げられる。
また、レンチキュラーシートの上辺および／または下辺で貼着した補強部材により、横方向（水平方向）でのしわ，たるみの発生も妨げられる。
【発明を実施するための最良の形態】
【００１４】
以下、本発明の実施形態について、図面に基づいて詳細に説明する。
＜実施形態１＞
図１は、実施形態１に係るスクリーンの取り付け方法（固定方法）の概略を示す断面説明図である。
レンチキュラーシート１１は、透光性基材フィルム表面に放射線硬化型樹脂の硬化物によりシリンドリカルレンズ群からなるレンズ部が形成されており、全体として可撓性を有する構成であり、
フレネルレンズシート１２は、透光性基材フィルム表面に放射線硬化型樹脂の硬化物によりレンズ部が形成されており、反レンズ部側の前記フィルム表面には、光拡散機能を有するシートが積層一体化され、全体として可撓性を有さず、レンチキュラーシートに比較して剛性および厚さの大きい構成であるが、同図では、レンチキュラーシート，フレネルレンズシート共に、簡略化して厚さの相違する単層構成のレンズシートとして図示している。
【００１５】
両レンズシートの厚さの比としては、フレネルレンズシート（Ｆ）：レンチキュラーシート（Ｌ）が、（Ｆ／Ｌ）≧１．５が好適であり、両者の差が大きいほど、自立性を有する側のレンズシートの重量を利用して、他方（自立性の無い）側のレンズシートに張力を付与する作用が大きく働くことになる。
両レンズシートの比重も、両者の材質に大きな相違がなければ、（Ｆ／Ｌ）≧１．５程度となる。
【００１６】
レンチキュラーシート１１の下辺では、レンチキュラーシート１１の片面（同図では、反観察者側となる左側）に短冊状の補強部材１３が下辺全体に沿って、両面テープ（同図では、ハッチングで示す）により貼着されている。
補強部材１３としては、レンチキュラーシート１１よりも比重および剛性の高い金属板（例えば、Ａｌ製）などが適切であるが、可撓性を有するレンチキュラーシート１１にしわやたるみが生じるのを妨げる強度（厚さや剛性に依存する）およびレンチキュラーシート１１に荷重を加えて張力を付与する比重の材質が選択される。
【００１７】
同図では、フレネルレンズシート１２の上端よりも上方に位置するレンチキュラーシート１１の上辺においても、レンチキュラーシート１１の片面に短冊状の補強部材が上辺全体に沿って貼着しており、
フレーム１４の上辺では、フレネルレンズシート１２の上端よりも上方で突出した庇状部を有する保持部材１５により、前記補強部材を掛けてレンチキュラーシート１１を吊り下げた状態で、フレネルレンズシート１２とレンチキュラーシート１１とを、保持部材１５を介して押さえた構成である。
【００１８】
紙面垂直方法に長手方法が伸びる短冊状の補強部材１３は、レンチキュラーシート１１の上辺または下辺端部から１０ｍｍ以上の幅の領域で接触した状態で貼着していることが好ましい。
可撓性を有するレンチキュラーシート１１に対して、補強部材の接触面積が確保されていると、レンチキュラーシートにしわやたるみが生じるのを妨げる上で有効であり、特に大画面の透過型プロジェクションＴＶ（対角３０インチ以上）の画面サイズに相当するレンチキュラーシートでは、上辺から２０ｍｍ前後の接触幅があると、経時的な安定性（高温／高湿実験などへの耐環境特性）が十分であることが、実験により確認されている。
【００１９】
＜実施形態２＞
図２は、実施形態２に係るスクリーンの取り付け方法（固定方法）の概略を示す断面説明図である。（図１と同一部材については、符号を省略して図示している）
実施形態１（図１）との相違は、フレーム上辺で、レンチキュラーシートに短冊状の補強部材が上辺全体に沿って貼着している箇所では、レンチキュラーシートの変形（伸縮，湾曲）に応じた変位が可能であるように、フレームとレンチキュラーシートとの間に空隙１６を有する構成であり、補強部材の貼着していない箇所で、フレームがレンチキュラーシートを（爪状の突出部により）押さえつけた構成である点にある。
【００２０】
空隙１６を確保することで、環境変化に応じたレンチキュラーシートの伸縮による変位が妨げられず、レンチキュラーシートの平面性が維持される。
画面の水平方向（紙面に垂直な方向）の伸縮の方が、垂直方向（紙面に平行な方向）の伸縮よりも大きいため、水平方向に膨張した際に、伸びに応じた変位を逃がすスペースがなければ、レンチキュラーシートはたるんだり、しわが寄った状態になってしまう。
その際、保持部材１５の庇状部の上を、レンチキュラーシート上辺に貼着した補強部材がスライドする上で、実施形態１，２の構造（粘着などの固定手段は用いず、庇状部に補強部材を掛けて吊り下げた構造）は、好適である。
【００２１】
また、レンチキュラーシートと短冊状の補強部材とを、両面粘着テープにより貼着する場合、各種の両面粘着テープを用いた試作・実験の繰り返しにより、好適な両面粘着テープを選定するための要因が見出された。
【００２２】
樹脂を主材質とするレンチキュラーシートと金属製の補強部材とでは、環境変化に応じた膨張係数の差が大きく、伸縮量の大小に応じた反り，歪みが生じてしまうことは避けられないが、両者の間に介在する両面粘着テープの膨張係数が両者の中間値であると、反り，歪みが低下することが確認された。
上記は、両面粘着テープによる緩衝（吸収）作用によるものと推測される。
【００２３】
また、以下の現象も確認された。
１）粘着力は比較的弱い方が適している。
２）両面粘着テープ（基材フィルム／粘着層）では、粘着層が厚い方が好適である。
３）粘着層が柔らかい方が好適である。
上記１）２）３）の何れかに反すると、緩衝（吸収）作用に阻害する方向の影響が見られ、環境変化に応じた反り，歪みが明確になった。
【００２４】
両面粘着テープは、基材フィルムの表裏に基材フィルムよりも厚さの大きい粘着剤層が形成された構成であり、
ＪＩＳ Ｚ ０２３７に準拠した粘着力（１８０°引き剥がし粘着力）が、２０Ｎ／２０ｍｍ以下である場合が、本発明の実施にあたっては好適である。
【図面の簡単な説明】
【００２５】
【図１】本発明による透過型スクリーン（の取り付け方法）の一例を示す説明図。
【図２】本発明による透過型スクリーン（の取り付け方法）の一例を示す説明図。
【符号の説明】
【００２６】
１１  レンチキュラーシート
１２  フレネルレンズシート
１３  補強部材
１４  フレーム
１５  保持部材
【図１】
2007286091.tif 000003
【図２】
2007286091.tif 000004